(57)【要約】【課題】防犯機構をセンサユニットと組み合わせて窓及びドア周辺の適切な位置に設置でき、検知ユニットを利用してその周囲の磁場の変化を感知し、出力ユニット及び電撃ユニットを作動させ、警報音及び高電圧により生じる閃光を発し、優れた防犯効果が得られる、センサ式電撃防犯装置の提供。【解決手段】本考案のセンサ式電撃防犯装置は、筐体及び前記筐体内に設置された回路板から構成される防犯機構と、予め一定の距離で前記防犯機構の片側に対応して設置されるセンサユニットを含み、前記回路板上にスイッチユニット、出力ユニット、電撃ユニット、検知ユニットが設置され、且つ、前記回路板が電源部に接続されると共に、前記センサユニットが前記検知ユニットにその周囲の磁場の変化を感知させ、前記出力ユニット及び電撃ユニットを作動させることができる。【選択図】図１
0003126286.tif 000002
【実用新案登録請求の範囲】
【請求項１】
防犯機構とセンサユニットを含み、前記防犯機構が筐体、前記筐体内に設置された回路板、及び前記回路板上に設置されたスイッチユニット、出力ユニット、電撃ユニット、検知ユニットから構成され、且つ、前記回路板が電源部に接続され、前記センサユニットが予め定めた距離で前記防犯機構の片側に対応して設置され、前記検知ユニットにその周囲の磁場の変化を感知させ、前記出力ユニット及び電撃ユニットが作動される、センサ式電撃防犯装置。
【考案の詳細な説明】
【技術分野】
【０００１】
本考案はセンサ式電撃防犯装置に関し、詳細には、窓やドア周辺の適切な位置に設置でき、検知ユニットでその周囲の磁場の変化を検知して出力ユニット及び電撃ユニットを作動させ、警報音及び高電圧により生じる閃光を発し、優れた防犯効果を発揮する、センサ式電撃防犯装置に関する。
【背景技術】
【０００２】
一般的な従来の防犯裝置は、主センサ部及び副センサ部から構成され、そのうち、前記主センサ部はブザー及び検知部材を備え、且つ、導線で外部電力に接続され、前記副センサ部はセンサ部材を備えており、運用時には主センサ部を窓の外枠上に設置し、且つ、副センサ部を窓の内枠上に設置して主センサ部に対応させ、前記主センサ部に副センサ部との間とその周囲の磁場の変化を感知させることができ、内枠が開かれて主センサ部と副センサ部の間に一定の距離があくと、前記ブザーが作動して音を発生し、警報としての作用が得られる。
【０００３】
しかしながら、上述のような従来の防犯装置は、内枠が開かれて主センサ部と副センサ部の間に一定距離があき磁場が変化したとき、前記ブザーを作動させて音を発生させ、警報としての作用が得られるようになっているが、前記主センサ部は導線で必要な外部電力を得る必要があるため、侵入者が屋内に侵入するとき導線を切断したり、短絡させたりするだけで主センサ部の機能を失わせることができる。また、前記ブザーは音が比較的小さいため、ブザーが警報音を発したとしてもその警報効果は限られており、音が鳴っているときに外部が騒がしかったり、侵入者が物品でブザーを覆ったりすれば、前記ブザーの音を聞きにくくすることができ、さらに警報音は、路上に駐車された車の防犯装置が作動する場合など、我々の生活環境において頻繁に聞かれる音であるため、住人または近所の人々は往々にして警報音に対する警戒を怠ることがある。この場合、防犯装置の設置も意味がなく、またその防犯効果も優れない。このため、従来の防犯装置は実際の使用時のニーズを満たすことができない。
【考案の開示】
【考案が解決しようとする課題】
【０００４】
このため、本考案の主な目的は、防犯機構をセンサユニットと組み合わせて窓及びドア周辺の適切な位置に設置でき、検知ユニットを利用してその周囲の磁場の変化を感知し、出力ユニット及び電撃ユニットを作動させ、警報音及び高電圧により生じる閃光を発し、優れた防犯効果が得られる、センサ式電撃防犯装置を提供することにある。
【課題を解決するための手段】
【０００５】
上述の目的を達するため、本考案のセンサ式電撃防犯装置は、筐体及び前記筐体内に設置された回路板から構成される防犯機構と、予め一定の距離で前記防犯機構の片側に対応して設置されるセンサユニットを含み、前記回路板上にスイッチユニット、出力ユニット、電撃ユニット、検知ユニットが設置され、且つ、前記回路板が電源部に接続されると共に、前記センサユニットが前記検知ユニットにその周囲の磁場の変化を感知させ、前記出力ユニット及び電撃ユニットを作動させることができる。これにより、前記防犯機構を前記センサユニットと組み合わせて窓及びドア周辺の適切な位置に設置し、検知ユニットを利用してその周囲の磁場の変化を感知し、出力ユニット及び電撃ユニットを作動させ、警報音及び高電圧により生じる閃光を発し、優れた防犯効果を得ることができる。        
【考案を実施するための最良の形態】
【０００６】
図１及び図２に本考案の立体分解図及び本考案の立体外観図をそれぞれ示す。これらの図に示すように、本考案のセンサ式電撃防犯装置は、防犯機構１及びセンサユニット２から構成され、窓及びドア周辺の適切な位置に設置でき、検知ユニットを利用してその周囲の磁場の変化を感知し、出力ユニット及び電撃ユニットを作動して警報音及び高電圧により生じる閃光を発し、優れた防犯効果を得ることができる。
【０００７】
上述の防犯機構１は、筐体１１、前記筐体１１内に設置された回路板１２、前記回路板１２上に設置されたスイッチユニット１３、出力ユニット１４、電撃ユニット１５、検知ユニット１６から構成され、且つ、前記回路板１２には電源部１７が接続され、前記出力ユニット１４はスピーカとされ、前記電撃ユニット１５は前記筐体１１外部に延伸された少なくとも２つの電撃針１５１を備え、前記検知ユニット１６は磁性センサコイルとされている。  
【０００８】
前記センサユニット２は予め定めた一定の距離で上述の防犯機構１の片側に対応して設置され、前記センサユニット２は外殼２１を含み、前記外殼２１内に磁性体２２が設置され、前記検知ユニット１６にその周囲の磁場の変化を感知させて前記出力ユニット１４及び電撃ユニット１５を作動させることができる。上述の構造により、新しいセンサ式電撃防犯装置が構成される。
【０００９】
図３及び図４に本考案の使用状態をそれぞれ示す。これらの図に示すように、本考案の装置を窓３に使用するときは、前記防犯機構１を窓３の外枠３１上に設置し、電撃針１５１を内枠３２の片側に対応させ、前記センサユニット２を内枠３２の辺縁部に設置して前記防犯機構１に対応させ、前記内枠３２を前記外枠３１に閉じ合わせると、前記センサユニット２があらかじめ定めた距離で前記防犯機構１の片側に対応し設置された状態となる。
【００１０】
使用時には前記スイッチユニット１３をオンにし、前記電源部１７が出力ユニット１４、電撃ユニット１５及び検知ユニット１６の必要とする電力を供給し、検知ユニット１６にあらかじめ定めた距離にあるセンサユニット２との間とその周囲の磁場の変化を感知させ、内枠３２が開かれると、前記検知ユニット１６がセンサユニット２を感知することができなくなるため、検知ユニット１６とセンサユニット２の周囲の磁場に変化が発生し、即時出力ユニット１４及び電撃ユニット１５が作動し、前記出力ユニット１４が警報音を発し、前記電撃ユニット１５の電撃針１５１が高電圧により生じる閃光を発し、これにより出力ユニット１４の警報音が侵入者を撃退するだけでなく、侵入者が侵入を強行した場合電撃ユニット１５の高圧電撃を受けるため、優れた防犯効果が得られる。
【００１１】
図５に本考案の別の使用状態を示す。この図に示すように、本考案の装置をドア４に使用するときは、前記センサユニット２を室内ドア４の片側周縁部に設置し、防犯機構１をセンサユニット２と対応させてドア４近くの壁面４１上に設置し、且つ、前記防犯機構１の回路板１２にコントローラ５を接続し、このコントローラ５を屋外に設置する。
【００１２】
家主が外出するときは、前記コントローラ５のロック装置５１をオンにし（パスワード式またはカード式のロック装置とすることができる）、前記コントローラ５を利用して防犯機構１の設定を行い、設定完了後、前記防犯機構１は起動された状態となり、このときにドア４が開かれると、前記検知ユニット１６がセンサユニット２を感知できなくなり、検知ユニット１６とセンサユニット２の周囲の磁場に変化が発生し、即時前記出力ユニット１４及び電撃ユニット１５が作動し、前記出力ユニット１４が警報音を発し、前記電撃ユニット１５の電撃針１５１が高電圧により生じる閃光を発し、これにより出力ユニット１４の警報音が侵入者を阻むだけでなく、侵入者が侵入を強行した場合電撃ユニット１５の高圧電撃を受ける。家主が帰宅したときは、まず前記コントローラ５により防犯機構１の設定を解除し、防犯機構１をオフにしてからドア４を開けて屋内へと入ることができる。
【００１３】
上述のように、本考案のセンサ式電撃防犯装置は従来品の数々の欠点を効果的に改善することができ、防犯機構をセンサユニットと組み合わせ、窓及びドア周辺の適切な位置に設置し、検知ユニットを利用してその周囲の磁場の変化を感知し、出力ユニット及び電撃ユニットを作動させ、警報音及び高電圧により生じる閃光を発し、優れた防犯効果を得ることができる。本考案はより進歩的、かつ実用的であり、使用者のニーズをより満たすことができるものであり、実用新案登録出願の要件を満たしているため、法に基づき、ここに実用新案登録を出願するものである。
【図面の簡単な説明】
【００１４】
【図１】本考案の立体分解図である。
【図２】本考案の立体外観図である。
【図３】本考案を窓に設置した状態を示す正面図である。
【図４】本考案を設置した窓が開かれた状態を示す正面図である。
【図５】本考案をドアに設置した状態を示す正面図である。
【符号の説明】
【００１５】
１        防犯機構
１１      筐体
１２      回路板
１３      スイッチユニット
１４      出力ユニット
１５      電撃ユニット
１５１    電撃針
１６      検知ユニット
１７      電源部
２        センサユニット
２１      外殼
２２      磁性体
３        窓
３１      外枠
３２      内枠
４        ドア
４１      壁面
５        コントローラ
５１      ロック装置
【図１】
0003126286.tif 000003
【図２】
0003126286.tif 000004
【図３】
0003126286.tif 000005
【図４】
0003126286.tif 000006
【図５】
0003126286.tif 000007